(57)【特許請求の範囲】
【請求項１】
音声を出力するイヤホーン本体と、複数の装飾体が連ねられ、予め定めた位置から前記イヤホーン本体が接続される端子側へ前記複数の装飾体の移動が阻止される阻止部が前記予め定めた位置に設けられるイヤホーンコードとを備え、前記阻止部は、前記複数の装飾体の端部の装飾体をカシメにより固定したものとするか、前記複数の装飾体の前記端部側に、カシメにより前記イヤホーンコードに固定した固定部とするかのいずれかとすることを特徴とするネックレス一体化イヤホーン。
【請求項２】
前記端子側の装飾体をカシメにより固定する前記複数の装飾体は、間欠的に連ねて固定することを特徴とする請求項１に記載のネックレス一体化イヤホーン。
【請求項３】
音声を出力するイヤホーン本体と、複数の装飾体が連ねられ、予め定めた位置から前記イヤホーン本体が接続される端子側と反対側に前記複数の装飾体が配置されるイヤホーンコードとを備え、前記予め定めた位置は、前記イヤホーンコードが接続のために前記イヤホーン本体に収納される収納部を少なくとも確保した位置とし、前記端子側の端部の前記装飾体が、固定されるか、スライド可能に固定されることとしたことを特徴とするネックレス一体化イヤホーン。
【発明の詳細な説明】
【技術分野】
【０００１】
本発明は、イヤホーンコードの接続作業に支障を生じることを防ぎ、イヤホーンコードにネックレスと同様に装飾体を連ね、装飾性を向上させるネックレス一体化イヤホーンに関する。
【背景技術】
【０００２】
耳に装着されるものとして、接続端子部がイヤホーンコードを介し音声を発するイヤホーン本体に接続し接続端子部により携帯電話やゲーム機などの音声信号出力機器に接続されるイヤホーン（例えば、特許文献１参照）があり、また、首に装着されるものとして、複数のビーズなどの装飾体を鎖により連ね、露出した鎖の端部同士を連結部により連結可能とするネックレス（例えば、特許文献２参照）などの装身具がある。
【０００３】
イヤホーンは、イヤホーンコードが導電線の外側に沿わせて軟質塩化ビニールなどの絶縁部材で被覆されているため、装飾性はほとんどないという欠点があった。そこで、イヤホーンの装飾性を向上させるため、ネックレスと同様にイヤホーンコードに装飾体を連ねることが考えられるが、装飾体を連ねたイヤホーンコードをイヤホーン本体に接続するためには、端部からイヤホーン本体に挿入して端部の導電線のハンダ付けをする必要があり、イヤホーンコードをイヤホーン本体に挿入してハンダ付け作業を行うとき、連ねた装飾体が脱落してしまい接続作業に支障がでる可能性がある。
【先行技術文献】
【特許文献】
【０００４】
【特許文献１】特開２００６−１０９３９３号公報
【特許文献２】特開２００９−１６０２１６号公報
【発明の概要】
【発明が解決しようとする課題】
【０００５】
本発明は、上記の問題に鑑みてなされたものであって、イヤホーンコードの接続作業に支障を生じることを防ぎ、イヤホーンコードにネックレスと同様に装飾体を連ね、装飾性を向上させるネックレス一体化イヤホーンを提供することを目的とする。
【課題を解決するための手段】
【０００６】
本発明ネックレス一体化イヤホーンは、音声を出力するイヤホーン本体と、複数の装飾体が連ねられ、予め定めた位置から前記イヤホーン本体が接続される端子側へ前記複数の装飾体の移動が阻止される阻止部が前記予め定めた位置に設けられるイヤホーンコードとを備え、前記阻止部は、前記複数の装飾体の端部の装飾体をカシメにより固定したものとするか、前記複数の装飾体の前記端部側に、カシメにより前記イヤホーンコードに固定した固定部とするかのいずれかとすることとした。
【０００８】
また、前記端子側の装飾体をカシメにより固定する前記複数の装飾体は、間欠的に連ねて固定することとした。
【０００９】
さらに、本発明のネックレス一体化イヤホーンは、音声を出力するイヤホーン本体と、複数の装飾体が連ねられ、予め定めた位置から前記イヤホーン本体が接続される端子側と反対側に前記複数の装飾体が配置されるイヤホーンコードとを備え、前記予め定めた位置は、前記イヤホーンコードが接続のために前記イヤホーン本体に収納される収納部を少なくとも確保した位置とし、前記端子側の端部の前記装飾体が、固定されるか、スライド可能に固定されることとした。
【発明の効果】
【００１２】
本発明のネックレス一体化イヤホーンは、音声を出力するイヤホーン本体と、複数の装飾体が連ねられ、予め定めた位置から前記イヤホーン本体が接続される端子側へ前記複数の装飾体の移動が阻止される阻止部が前記予め定めた位置に設けられるイヤホーンコードとを備え、前記阻止部は、前記複数の装飾体の端部の装飾体をカシメにより固定したものとするか、前記複数の装飾体の前記端部側に、カシメにより前記イヤホーンコードに固定した固定部とするかのいずれかとすることとしたため、イヤホーンコードとイヤホーン本体との接続作業を行うとき装飾体の脱落をより確実に阻止し、イヤホーンコードの接続作業に支障を生じることなく、イヤホーンコードにネックレスと同様に装飾体を連ね装飾性を向上することができる。
【００１４】
また、前記端子側の装飾体をカシメにより固定する前記複数の装飾体は、間欠的に連ねて固定することとしたため、イヤホーンコードとイヤホーン本体との接続作業を行うとき装飾体の脱落をより確実に阻止し、イヤホーンコードの接続作業に支障を生じることなく、少数の装飾体で装飾性を向上することができる。
【００１５】
さらに、本発明のネックレス一体化イヤホーンは、音声を出力するイヤホーン本体と、複数の装飾体が連ねられ、予め定めた位置から前記イヤホーン本体が接続される端子側と反対側に前記複数の装飾体が配置されるイヤホーンコードとを備え、前記予め定めた位置は、前記イヤホーンコードが接続のために前記イヤホーン本体に収納される収納部を少なくとも確保した位置とし、前記端子側の端部の前記装飾体が、固定されるか、スライド可能に固定されることとしたため、イヤホーンコードとイヤホーン本体との接続作業を装飾体の脱落を阻止して行うことができるとともに、複数の装飾体を所望の配置にすることができる。
【図面の簡単な説明】
【００１８】
【図１】本発明の第１の実施の形態のネックレス一体化イヤホーンの正面図を示す
【図２】本発明の第１の実施の形態のネックレス一体化イヤホーンの側面図を示し、（ａ）は、イヤホーン本体にイヤホーンコードを接続するときの側面図を示し、（ｂ）は、イヤホーン本体にイヤホーンコードを接続したときの側面図を示す。
【図３】本発明の第２の実施の形態のネックレス一体化イヤホーンの側面図を示し、（ａ）は、イヤホーン本体にイヤホーンコードを接続するときの側面図を示し、（ｂ）は、イヤホーン本体にイヤホーンコードを接続したときの側面図を示す。
【図４】本発明の第３の実施の形態のネックレス一体化イヤホーンの側面図を示し、（ａ）は、イヤホーン本体にイヤホーンコードを接続するときの側面図を示し、（ｂ）は、イヤホーン本体にイヤホーンコードを接続したときの側面図を示す。
【図５】本発明の第４の実施の形態のネックレス一体化イヤホーンの正面図を示す。
【図６】本発明の第４の実施の形態のネックレス一体化イヤホーンの側面図を示し、（ａ）は、イヤホーン本体にイヤホーンコードを接続するときの側面図を示し、（ｂ）は、イヤホーン本体にイヤホーンコードを接続したときの側面図を示す。
【図７】本発明の第５の実施の形態のネックレス一体化イヤホーンの側面図を示し、（ａ）および（ｂ）は、イヤホーンコード同士を接続するときの側面図を示し、（ｃ）は、イヤホーンコード同士を接続したときの側面図を示す。
【図８】本発明の第６の実施の形態のネックレス一体化イヤホーンの側面図を示し、（ａ）は、イヤホーン本体にイヤホーンコードを接続するときの側面図を示し、（ｂ）は、イヤホーン本体にイヤホーンコードを接続したときの側面図を示す。
【発明を実施するための形態】
【００１９】
以下、本発明の実施の形態のネックレス一体化イヤホーンにつき説明する。
【実施例１】
【００２０】
図１に示すように、本発明の第１の実施の形態のネックレス一体化イヤホーン１０は、イヤホーン本体１１と、携帯電話やゲーム機などの音声信号出力機器に接続される接続端子部１５と、イヤホーン本体１１と接続端子部１５とに接続し装飾体であるビーズ１３が連ねられたイヤホーンコード１４とで構成されている。
【００２１】
イヤホーン本体１１は、イヤホーンコード１４がケース１１ａの底面に明けられた穴を通り接続する。側面には先端が開口し耳への装着により外耳道を密閉する弾性材で形成されたイヤパット１２ａが取付けられるイヤパット取付用円筒部１２が取付られている。内部に設けられたスピーカよりの音声はイヤパット取付用円筒部１２を通り先端が開口したイヤパット１２ａから出力する。
【００２２】
イヤホーンコード１４は、外側に沿って軟質塩化ビニールなどの絶縁部材が被覆され、その外周にネックレスと同様にビーズ１３が連ねられている。
【００２３】
図２は、本発明の第１の実施の形態のネックレス一体化イヤホーン１０の側面を示し、イヤホーン本体１１は図１のＡ−Ａ断面図を示す。図２（ａ）に示すように、イヤホーン本体１１は、内部にスピーカ１７と回路基板１８とか設けられ、イヤホーンコード１４は、ビーズ１３が連ねられ、端部のビーズ１３ａが接着剤により形成された接合部１６により固定され、接合部１６の先端方向では露出したイヤホーンコード部１４ａとなっており、その先端部の導電線１４ｂは被覆された絶縁部材が剥がされ露出した導電線１４ｂとなっている。イヤホーン本体１１にビーズ１３が連ねられたイヤホーンコード１４を接続するときには、イヤホーン本体１１のケース１１ａに明けられた穴１１ｂに露出した導電線１４ｂと露出したイヤホーンコード部１４ａとが挿入される。
【００２４】
図２（ｂ）に示すように、露出した導電線１４ｂと露出したイヤホーンコード部１４ａが挿入されたイヤホーン本体１１は、露出した導電線１４ｂの端部が回路基板１８の回路（図示せず）にハンダ付けされハンダ部１９が形成され、ビーズ１３が連ねられたイヤホーンコード１４を接続することができる。
【００２５】
この接続作業のとき、端部のビーズ１３ａが接合部１６によりイヤホーンコード１４に固定されているためビーズの脱落を阻止する阻止部となり、イヤホーンコード１４に連ねられたビーズ１３の脱落を阻止し、イヤホーンコードの接続作業に支障を生じることなく、イヤホーンコードにネックレスと同様にビーズを連ね装飾性を向上することができる。
【００２６】
なお、端部のビーズ１３ａは、ビーズ１３ａに明けられた貫通穴とイヤホーンコード１４との隙間に接着剤を注入して固定することもでき、また、ビーズ１３ａに明けられた貫通穴をやや小径としイヤホーンコード１４に圧入して固定することもできる。
【実施例２】
【００２７】
図３は、本発明の第２の実施の形態のネックレス一体化イヤホーン２０の側面を示し、イヤホーン本体２１は断面図を示す。図３（ａ）に示すように、イヤホーン本体２１は、内部にスピーカ２７と回路基板２８とか設けられ、イヤホーンコード２４は、ビーズ２３が連ねられている。端部のビーズ２３ａは、可塑性の樹脂や金属により形成され、スリット２６がイヤホーンコード２４に沿って形成されており、カシメによりイヤホーンコード２４に固定されている。イヤホーンコード２４は、端部のビーズ２３ａの先端方向では露出したイヤホーンコード部２４ａとなっており、その先端部の導電線２４ｂは被覆された絶縁部材が剥がされ露出した導電線２４ｂとなっている。イヤホーン本体２１にビーズ２３が連ねられたイヤホーンコード２４を接続するときには、イヤホーン本体２１のケース２１ａに明けられた穴２１ｂに露出した導電線２４ｂと露出したイヤホーンコード部２４ａが挿入される。
【００２８】
図３（ｂ）に示すように、ビーズ２３が連ねられたイヤホーンコード２４の露出した導電線２４ｂと露出したイヤホーンコード部２４ａが挿入されたイヤホーン本体２１では、露出した導電線２４ｂの端部が回路基板２８の回路（図示せず）にハンダ付けされハンダ部２９が形成され、イヤホーン本体２１にイヤホーンコード２４を接続することができる。
【００２９】
この接続作業のとき、端部のビーズ２３ａがカシメられイヤホーンコード２４に固定されているため、イヤホーンコード２４に連ねられたビーズ２３の脱落を阻止し、イヤホーンコードの接続作業に支障を生じることなく、イヤホーンコードにネックレスと同様にビーズを連ね装飾性を向上することができる。
【実施例３】
【００３０】
図４は、本発明の第３の実施の形態のネックレス一体化イヤホーン３０の側面を示し、イヤホーン本体３１は断面図を示す。図４（ａ）に示すように、イヤホーン本体３１は、内部にスピーカ３７と回路基板３８とか設けられ、イヤホーンコード３４は、ビーズ３３が連ねられ、連ねられたビーズ３３の端部側には、ビーズ３３の端部側への移動を防止する固定部３６がカシメにより固定され、固定部３６の先端方向では露出したイヤホーンコード部３４ａとなっており、その先端部の導電線３４ｂは被覆された絶縁部材が剥がされ露出した導電線３４ｂとなっている。イヤホーン本体３１にビーズ３３が連ねられたイヤホーンコード３４を接続するときには、イヤホーン本体３１のケース３１ａに明けられた穴３１ｂに露出した導電線３４ｂと露出したイヤホーンコード部３４ａが挿入される。
【００３１】
図４（ｂ）に示すように、ビーズ３３が連ねられたイヤホーンコード３４の露出した導電線３４ｂと露出したイヤホーンコード部３４ａが挿入されたイヤホーン本体３１では、露出した導電線３４ｂの端部が回路基板３８の回路（図示せず）にハンダ付けされハンダ部３９が形成され、イヤホーン本体３１にイヤホーンコード３４を接続することができる。
【００３２】
この接続作業のとき、イヤホーンコード３４が貫通しカシメにより固定されビーズ３３の端部側への移動を防止する固定部３６が取付られているため、イヤホーンコード３４に連ねられたビーズ３３の脱落を阻止し、イヤホーンコードの接続作業に支障を生じることなく、イヤホーンコードにネックレスと同様にビーズを連ね装飾性を向上することができる。
【実施例４】
【００３３】
図５に示すように、本発明の第４の実施の形態のネックレス一体化イヤホーン４０は、イヤホーン本体４１と、携帯電話やゲーム機などの音声信号出力機器に接続される接続端子部４５と、イヤホーン本体４１と接続端子部４５とに接続しビーズ４３が全面的に連ねられたイヤホーンコード４４とで構成されている。
【００３４】
イヤホーン本体４１は、本発明の第１の実施の形態と同様の構成であり、イヤホーンコード４４も、外周にネックレスと同様にビーズ４３が全面的に連ねられ、本発明の第１の実施の形態と同様の構成である。
【００３５】
図６は、本発明の第４の実施の形態のネックレス一体化イヤホーン４０の側面を示し、イヤホーン本体４１は断面図を示す。図６（ａ）に示すように、イヤホーン本体４１は、内部にスピーカ４７と回路基板４８とか設けられ、イヤホーンコード４４は、ビーズ４３が連ねられ、端部のビーズ４３ａが接着剤により形成された接合部４６により固定され、接合部４６の先端方向では露出したイヤホーンコード部４４ａとなっており、その先端部の導電線４４ｂは被覆された絶縁部材が剥がされ露出した導電線４４ｂとなっている。イヤホーン本体４１にビーズ４３が連ねられたイヤホーンコード４４を接続するときには、イヤホーン本体４１のケース４１ａに明けられた穴４１ｂに露出した導電線４４ｂと露出したイヤホーンコード部４４ａが挿入される。
【００３６】
図６（ｂ）に示すように、露出した導電線４４ｂと露出したイヤホーンコード部４４ａが挿入されたイヤホーン本体４１は、露出した導電線４４ｂの端部が回路基板４８の回路（図示せず）にハンダ付けされハンダ部４９が形成され、イヤホーン本体４１にビーズ４３が連ねられたイヤホーンコード４４を接続することができる。
【００３７】
この接続作業のとき、端部のビーズ４３ａが接合部４６によりイヤホーンコード４４に固定されているため、イヤホーンコード４４に連ねられたビーズ４３の脱落を阻止し、イヤホーンコードの接続作業に支障を生じることはなく、また、端部のビーズ４３ａが接合部４６を介しイヤホーン本体４１に近接するように露出したイヤホーンコード部４４ａの長さが設定されているため、イヤホーンコード４４は、ビーズ４３が、露出したイヤホーンコード部４４ａを除き、全面的に連ねられ、イヤホーンコード４４が外から見えることを防止し、イヤホーンコードにネックレスと同様にビーズを全面的に連ね装飾性を向上することができる。
【実施例５】
【００３８】
図７に示すように、本発明の第５の実施の形態のネックレス一体化イヤホーン５０は、イヤホーン本体（図示せず）が接続され、ビーズ５３を連ねた一方のイヤホーンコード５４ａと、接続端子部５５が接続された他方のイヤホーンコード５４ｂとを接続するものである。
【００３９】
図７（ａ）に示すように、一方のイヤホーンコード５４ａは、ビーズ５３が連ねられ、端部側には、イヤホーンコード５４ａに挿入され摩擦により保持されイヤホーンコード５４ａに沿って力が加えられたときスライド可能の阻止部５６が取付られている。イヤホーンコード５４ａに阻止部５６が取付られているため、ビーズ５３の端部側への移動を防止することができる。イヤホーンコード５４ａの先端部の導電線５７ａ、５７ｂは被覆された絶縁部材が剥がされ露出した導電線５７ａ、５７ｂとなっている。他方のイヤホーンコード５４ｂは、接続端子部５５が取付られ、先端部の導電線５８ａ、５８ｂは被覆された絶縁部材が剥がされ露出した導電線５８ａ、５８ｂとなっている。
【００４０】
一方のイヤホーンコード５４ａと他方のイヤホーンコード５４ｂとを接続するときには、図７（ｂ）に示すように、導電線５７ａと導電線５８ａとがハンダ付けされるとともに、導電線５７ｂと導電線５８ｂとがハンダ付けされ、接続部５９が形成される。
【００４１】
図７（ｃ）に示すように、図７（ｂ）に示す接続部５９を絶縁するためテープで覆われた接続部５９ａを覆うように阻止部５６をスライドさせ、テープで覆われた接続部５９ａが外部から見えないようにして、一方のイヤホーンコード５４ａと他方のイヤホーンコード５４ｂとを接続することができる。
【００４２】
この接続作業のとき、イヤホーンコード５４ａには阻止部５６が保持されビーズ５３の端部側への移動を防止しているため、連ねられたビーズ５３の脱落を阻止し、イヤホーンコードの接続作業に支障を生じることなく、イヤホーンコードにネックレスと同様にビーズを連ね装飾性を向上することができる。
【００４３】
なお、一方のイヤホーンコード５４ａには、接続端子部５５が取付られるようにし、他方のイヤホーンコード５４ｂには、イヤホーン本体が取付られるようにすることもできる。
【００４４】
また、阻止部５６は、イヤホーンコード５４ａに沿ってスライド可能のスライダ部を阻止部５６の外周にさらに設け、接続部５９ａを覆うようにスライダ部をスライドさせるようにすることもできる。
【００４５】
さらに、ビーズ５３が連ねられた一方のイヤホーンコード５４ａと、他方のイヤホーンコード５４ｂとを接続するようにしたが、ビーズの入替用としても利用することができる。
【実施例６】
【００４６】
図８は、本発明の第６の実施の形態のネックレス一体化イヤホーン６０の側面を示し、イヤホーン本体６１は断面図を示す。
【００４７】
図８（ａ）に示すように、内部にスピーカ６７と回路基板６８とか設けられたイヤホーン本体６１は、可塑性の樹脂や金属により形成されたビーズ６３が外周に連ねられ配置されたイヤホーンコード６４と接続する。
【００４８】
イヤホーンコード６４は、イヤホーン本体６１が接続される端子側がイヤホーン本体６１への収納部６４ａとなっており、収納部６４ａの端部がビーズ６３の配置を制限する制限位置Ｐとなっている。そのため、ビーズ６３は、制限位置Ｐからイヤホーン本体６１が接続される端子側と反対側である内側にスライド可能に配置されている。
【００４９】
ビーズ６３が連ねられたイヤホーンコード６４をイヤホーン本体６１に接続するときには、イヤホーン本体６１のケース６１ａに明けられた穴６１ｂに露出した導電線６４ｂと収納部６４ａとが挿入される。
【００５０】
図８（ｂ）に示すように、ビーズ６３が連ねられたイヤホーンコード６４の露出した導電線６４ｂと収納部６４ａとが挿入されたイヤホーン本体６１では、露出した導電線６４ｂの端部が回路基板６８の回路（図示せず）にハンダ付けされハンダ部６９が形成され、イヤホーン本体６１にイヤホーンコード６４を接続することができる。
【００５１】
この接続作業のとき、イヤホーンコード６４は、収納部６４ａが保持されながらイヤホーン本体６１に挿入されるため、イヤホーンコード６４に連ねられたビーズ６３の脱落を阻止し、イヤホーンコードの接続作業に支障を生じることなく、イヤホーンコードにネックレスと同様にビーズを連ね装飾性を向上することができる。制限位置Ｐは、収納部６４ａの端部に限らず、収納部６４ａの内側の位置とし、イヤホーン本体６１にイヤホーンコード６４をより容易に挿入するようにすることができる。また、イヤホーンコード６４をイヤホーン本体６１に挿入するとき、イヤホーン本体６１の内側からも引き込みながら収納部６４ａを収納することもでき、また、イヤホーン本体６１の内側でイヤホーンコード６４に結び目を作りイヤホーンコード６４をより抜け難いようにし、結び目のところを含め収納部６４ａとすることもでき、さらに、イヤホーン本体６１のケース６１ａに明けられた穴６１ｂを円筒形状にして挿入されたイヤホーンコード６４に対しかしめ、イヤホーンコード６４をより抜け難いようにすることもできる。
【００５２】
さらに、イヤホーン本体６１が接続される端子側と反対側の端部のビーズ６３ｎは、明けられた貫通穴をやや小径としてイヤホーンコード６４に挿入して摩擦により保持され、イヤホーンコード６４に沿って力が加えられたときスライド可能とし、ビーズ６３ｎを所望の位置にスライドして保持させ、ビーズ６３を所望の配置にすることができる。さらに、端部のビーズ６３ｎを所望の位置に固定し、所望の配置にすることもできる。
【００５３】
以上、第１〜６の実施の形態の本発明のネックレス一体化イヤホーンは、接続作業に支障を生じることなくイヤホーンコードにネックレスと同様にビーズを連ね、装飾性を向上させることができる。
【００５４】
なお、上記第１〜５の実施の形態の本発明のネックレス一体化イヤホーンでは、上記した複数のビーズは、端子側の端部のビーズを固定するとともに、間欠的に連ねて固定することもでき、連ねた複数のビーズをすべて固定することは装着工数を必要とし好ましくないが、少数のビーズで装飾性を向上することができる。
【００５５】
また、上記第１〜６の実施の形態の本発明のネックレス一体化イヤホーンでは、装飾体としてビーズを使用することとしたが、樹脂、ガラス、木材、サンゴ、金属、非金属などにより、それぞれ貫通穴付の球状形状、円筒形状、長方形状にした様々のものを使用することができ、また、金属にメッキを施したものを使用することも、貫通穴付の真珠を使用することも、装飾体の貫通穴から外側に向け形成したスリットから貫通穴にイヤホーンコードを挿入して装飾体のカシメを行い、イヤホーンコードに装飾体を装着するようにすることもできる。
【００５６】
さらに、イヤホーン本体を両耳に装着するタイプにも適用することができる。
【産業上の利用可能性】
【００５７】
本発明のネックレス一体化イヤホーンは、イヤホーンコードの接続作業に支障を生じることなく、イヤホーンコードにネックレスと同様に装飾体を連ね装飾性を向上させることができ、ヘッドホーンや補聴器などにも適用できる。
【符号の説明】
【００５８】
１０、２０、３０、４０、５０、６０  ネックレス一体化イヤホーン
１１、２１、３１、４１、６１  イヤホーン本体
１３、２３、３３、４３、５３、６３  ビーズ
１４、２４、３４、４４、６４  イヤホーンコード
１４ａ、２４ａ、３４ａ、４４ａ  露出したイヤホーンコード部
１４ｂ、２４ｂ、３４ｂ、４４ｂ、６４ｂ  導電線
１５、５５  接続端子部
１６、４６  接合部
２３ａ  端部のビーズ
３６  固定部
５４ａ  一方のイヤホーンコード
５４ｂ  他方のイヤホーンコード
５６  スライド可能の阻止部
６４ａ  収納部
【図１】
0005450038.tif 000002
【図２】
0005450038.tif 000003
【図３】
0005450038.tif 000004
【図４】
0005450038.tif 000005
【図５】
0005450038.tif 000006
【図６】
0005450038.tif 000007
【図７】
0005450038.tif 000008
【図８】
0005450038.tif 000009